(57)【特許請求の範囲】
【請求項１】
乗りかごの運転を制御する制御装置と、
各階に設置され、上記制御装置に乗場呼びの登録情報を送信する乗場呼び釦と、
上記各階に設置され、上記乗場呼び釦に連動して情報表示を行う表示器とを備え、
上記制御装置は、
待機状態に移行するときに、復帰時に上記各階の表示器に表示する情報を予測する表示予測手段を有し、この表示予測手段によって予測された情報を表示予測情報として上記各階の表示器に与えておき、
上記制御装置が待機状態から復帰するまでの間、上記乗場呼び釦が操作された階の表示器は、上記制御装置から事前に与えられた上記表示予測情報に基づいて上記乗りかごの運転状態に関する情報を表示することを特徴とするエレベータシステム。
【請求項２】
上記表示予測手段は、
上記乗りかごが待機している階と上記乗場呼び釦が操作された階との関係から復帰時に上記各階の表示器に表示する情報を予測することを特徴とする請求項１記載のエレベータシステム。
【請求項３】
上記表示予測手段は、
上記乗りかごが待機している階と上記乗場呼び釦が操作された階が同じ場合に当該階の表示器に上記乗りかごの現在位置と共に上記乗場呼びの登録情報を受け付けた旨を表示させ、
上記乗りかごが待機している階と上記乗場呼び釦が操作された階が異なる場合に当該階の表示器に上記乗りかごの現在位置と共に上記乗りかごが応答中である旨を表示させることを特徴とする請求項１記載のエレベータシステム。
【請求項４】
上記制御装置は、
予め時間帯別に設定されたメッセージ情報を記憶した情報記憶部を有し、
上記表示予測手段は、
上記情報記憶部に記憶されたメッセージ情報を上記表示予測情報に付加して上記各階の表示器に送信し、上記メッセージ情報を復帰時の時間帯に応じて選択的に表示させることを特徴とする請求項１記載のエレベータシステム。
【請求項５】
上記メッセージ情報は、
上記各階で指定の時間帯で行われるイベントに関する情報、時間帯に応じた挨拶に関する情報、時間帯に応じた広告情報のいずれか少なくとも１つを含むことを特徴とする請求項４記載のエレベータシステム。
【請求項６】
上記制御装置は、
上記各階の乗場呼び釦が操作されない状態が一定時間以上続いた場合に通常の運転状態から待機状態に切り替える運転切替手段を有し、
上記表示予測手段は、
上記運転切替手段によって待機状態に切り替えられるときに、復帰時に上記各階の表示器に表示する情報を予測して、その予測した情報を上記表示予測情報として上記各階の表示器に送信することを特徴とする請求項１記載のエレベータシステム。
【発明の詳細な説明】
【技術分野】
【０００１】
本発明の実施形態は、エレベータの制御装置を待機状態にして電力消費を抑えるエレベータシステムに関する。
【背景技術】
【０００２】
近年、電力不足の事情により、電力の「総量規制」が計画されるなど、一層の省電力対策が求められている。省電力対策としては、例えば閑散時間帯にエレベータの運転を休止するなどの方法がある。しかし、エレベータの運転を休止しても、制御装置や表示装置は通電状態にあり、所謂「待機電力」と呼ばれる電力を消費している。そこで、このような待機電力を少しでも削減するために、制御装置の電源を遮断して待機状態にしておくことが考えられている。
【先行技術文献】
【特許文献】
【０００３】
【特許文献１】特開２００９−９１１３２号公報
【発明の概要】
【発明が解決しようとする課題】
【０００４】
しかしながら、通常、制御装置の電源を遮断して待機状態にすると、再度起動するのに数十秒程度かかる。このため、待機状態のときに、利用者が乗場で呼び釦を押しても直ぐに反応せず、故障中と思って階段を利用してしまうことがある。このような場合、利用者のいない階へ乗りかごを応答させることになるので、電力を無駄に消費してしまうことになる。
【０００５】
本発明が解決しようとする課題は、エレベータの制御装置が待機状態から復帰するときに、乗場で待つ利用者に運転状態にあることを確実に知らせて、利用者のいない階への無駄な運転を回避して電力消費を抑えるようにしたエレベータシステムを提供することである。
【課題を解決するための手段】
【０００６】
本実施形態に係るエレベータシステムは、乗りかごの運転を制御する制御装置と、各階に設置され、上記制御装置に乗場呼びの登録情報を送信する乗場呼び釦と、上記各階に設置され、上記乗場呼び釦に連動して情報表示を行う表示器とを備え、上記制御装置は、待機状態に移行するときに、復帰時に上記各階の表示器に表示する情報を予測する表示予測手段を有し、この表示予測手段によって予測された情報を表示予測情報として上記各階の表示器に与えておき、上記制御装置が待機状態から復帰するまでの間、上記乗場呼び釦が操作された階の表示器は、上記制御装置から事前に与えられた上記表示予測情報に基づいて上記乗りかごの運転状態に関する情報を表示する。
【図面の簡単な説明】
【０００７】
【図１】図１は第１の実施形態に係るエレベータシステムの構成を示す図である。
【図２】図２は同実施形態におけるエレベータシステムのエレベータ制御装置の機能構成を示すブロック図である。
【図３】図３は同実施形態におけるエレベータシステムの表示器の機能構成を示すブロック図である。
【図４】図４は同実施形態におけるエレベータシステムの表示予測情報を説明するための図である。
【図５】図５は同実施形態におけるエレベータシステムの表示予測情報に含まれる表示パターンの一例を示す図である。
【図６】図６は同実施形態におけるエレベータシステムの動作を示すフローチャートである。
【図７】図７は同実施形態における３階床ストップのエレベータシステムの構成を示す図である。
【図８】図８は同実施形態における３階床ストップの表示予測情報を説明するための図である。
【図９】図９は同実施形態における３階床ストップの表示予測情報に含まれる表示パターンの一例を示す図である。
【図１０】図１０は同実施形態におけるＮ階床ストップのエレベータシステムの構成を示す図である。
【図１１】図１１は同実施形態におけるＮ階床ストップの表示予測情報を説明するための図である。
【図１２】図１２は同実施形態におけるＮ階床ストップの表示予測情報に含まれる表示パターンの一例を示す図である。
【図１３】図１３は第２の実施形態におけるエレベータ制御装置の機能構成を示すブロック図である。
【図１４】図１４は同実施形態におけるエレベータシステムの動作を示すフローチャートである。
【図１５】図１５は同実施形態におけるエレベータシステムのメッセージ情報の表示例を示す図である。
【図１６】図１６は同実施形態におけるエレベータシステムのメッセージ情報の表示例を示す図である。
【図１７】図１７は同実施形態におけるエレベータシステムのメッセージ情報の表示例を示す図である。
【発明を実施するための形態】
【０００８】
以下、図面を参照して実施形態を説明する。
【０００９】
（第１の実施形態）
図１は第１の実施形態に係るエレベータシステムの構成を示す図である。図１の例では、エレベータ（乗りかご）が１階と２階の間を運転する２階床ストップのエレベータシステムの構成が示されている。
【００１０】
本実施形態におけるエレベータシステムは、エレベータ制御装置１１と、各階（ここでは１階と２階）に設置された乗場呼び釦１２と表示器１３とを備える。なお、１４は各階の乗場ドアである。
【００１１】
エレベータ制御装置１１は、機械室あるいはマシンルームレスタイプのエレベータでは昇降路内に設置される。このエレベータ制御装置１１は、コンピュータによって構成され、乗りかご１の運転制御を含むエレベータ全体の制御を行う。
【００１２】
乗りかご１は、カウンタウェイト２と共にロープ３を介して巻上機４に吊り下げられている。エレベータ制御装置１１によって巻上機４が駆動されると、乗りかご１とカウンタウェイト２がロープ３を介してつるべ式に各階床間を昇降動作する。
【００１３】
乗場呼び釦１２は、乗場呼びを登録するための釦であり、「ＨＩＢ（Hall Indicator Button）とも呼ばれる。「乗場呼び」とは、利用者が乗場で登録する呼びのことであり、行先方向と呼び登録階の情報を含む。
【００１４】
乗場呼び釦１２は、行先方向を指定するための上方向と下方向の釦からなる。通常、最上階には下方向の釦のみ、最下階には上方向の釦のみ、その他の階床では上下両方向の釦が乗場呼び釦１２として設置されている。乗場呼び釦１２を押下操作すると、行先方向と呼び登録階の情報を含んだ乗場呼びの登録情報が伝送ケーブルを介してエレベータ制御装置１１に伝送される。エレベータ制御装置１１は、この乗場呼びの登録情報を受信すると、巻上機４を駆動して乗りかご１を呼び登録階に応答させる。
【００１５】
また、表示器１３は、例えばＬＣＤ（Liquid Crystal Display）からなり、乗りかご１の現在位置や運転方向などの運転状態に関する情報と各種メッセージを表示する。
【００１６】
ここで、本実施形態において、エレベータ制御装置１１には、何らかの要因で待機状態に移行する際に、復帰時に各階の表示器１３に表示する情報を予測して事前に各階の表示器１３に与えておく機能を備えている。
【００１７】
図２は本システムのエレベータ制御装置１１の機能構成を示すブロック図である。
【００１８】
エレベータ制御装置１１には、運転切替部２１、運転制御部２２、かご位置検出部２３、表示予測部２４が設けられている。
【００１９】
運転切替部２１は、各階の乗場呼び釦１２の操作状態を監視しており、各階の乗場呼び釦１２が操作されない状態が一定時間以上続いた場合に通常の運転状態から待機状態に切り替える。
【００２０】
「待機状態」では、エレベータ制御装置１１の電源（電力供給）が遮断され（電源ＯＦＦの状態）、エレベータ（乗りかご１）の運転が停止する。このとき、各階の乗場呼び釦１２と各階の表示器１３には電力が供給された状態にある。
【００２１】
運転制御部２２は、巻上機４の駆動を制御して乗りかご１を移動させる。かご位置検出部２３は、乗りかご１の現在位置を検出する。検出方法としては、例えば巻上機４の回転軸に設置された図示せぬパルスジェネレータから巻上機４の回転に同期して出力されるパルス信号をカウントし、そのカウント値から乗りかご１の現在位置を求める方法などがある。
【００２２】
表示予測部２４は、待機状態に移行する際に、復帰時の表示を予測し、その予測した情報を表示予測情報として各階の表示器１３に送信する。なお、この表示予測については、後に図４および図５を参照して詳しく説明する。
【００２３】
図３は本システムの表示器１３の機能構成を示すブロック図である。なお、各階の表示器１３で同じ構成である。
【００２４】
表示器１３には、記憶部３１と表示制御部３２が備えられている。記憶部３１は、エレベータ制御装置１１の表示予測部２４から送られて来た表示予測情報を記憶する。表示制御部３２は、復帰時に記憶部３１に記憶された表示予測情報に基づいて乗りかご１の運転状態に関する情報を表示する。
【００２５】
なお、通常の運転状態では、表示制御部３２は、エレベータ制御装置１１からリアルタイムに送られて来る運行情報（呼び登録階、かご位置、運転方向等）に基づいて表示を行うことになる。
【００２６】
ここで、図４および図５を参照して表示予測について説明する。  
図４は本システムの表示予測情報を説明するための図である。図５はその表示予測情報に含まれる表示パターンの一例を示す図である。
【００２７】
エレベータ制御装置１１に設けられた表示予測部２４は、乗りかご１が待機している階（待機階）と乗場呼び釦１２が操作された階との関係から復帰時に各階の表示器１３に表示する情報を予測する。この予測された情報を表示予測情報として各階の表示器１３に与えられる。
【００２８】
表示予測情報には、各階の表示器１３が復帰時に表示する複数のパターン（予測画面）と、これらのパターンを表示する条件（復帰起因）を含む。
【００２９】
・乗りかご１の待機階が２階の場合
２階の乗場呼び釦１２が操作されたときに、２階の表示器１３がパターンａを表示する。図５（ａ）に示すように、パターンａには、乗りかご１の現在位置（２階）と、乗場呼びの登録を受け付けたことを示す情報が含まれている。
【００３０】
１階の乗場呼び釦１２が操作されたときに、１階の表示器１３がパターンｂを表示する。図５（ｂ）に示すように、パターンｂには、乗りかご１の現在位置（２階）と、下方向への運転を示す情報（下方向マーク）が含まれている。
【００３１】
・乗りかご１の待機階が１階の場合
１階の乗場呼び釦１２が操作されたときに、１階の表示器１３がパターンｃを表示する。図５（ｃ）に示すように、パターンｃには、乗りかご１の現在位置（１階）と、乗場呼びの登録を受け付けたことを示す情報が含まれている。
【００３２】
２階の乗場呼び釦１２が操作されたときに、２階の表示器１３がパターンｄを表示する。図５（ｄ）に示すように、パターンｄには、乗りかご１の現在位置（１階）と、上方向への運転を示す情報（上方向マーク）が含まれている。
【００３３】
次に、本システムの動作について説明する。  
図６は本システムの動作を示すフローチャートである。
【００３４】
エレベータ制御装置１１に設けられた運転切替部２１は、各階の乗場呼び釦１２の操作状態を監視している。ここで、各階の乗場呼び釦１２が操作されない状態が一定時間以上続いた場合に（ステップＳ１１のＹｅｓ）、運転切替部２１は、省電力のために待機状態に切り替える。
【００３５】
その際、表示予測部２４では、待機状態に入る前に、かご位置検出部２３を通じて乗りかご１が待機する階を確認し、その待機階に基づいて復帰時の表示を予測する（ステップＳ１２）。詳しくは、図４および図５で説明したように、乗りかご１が待機している階と乗場呼び釦１２が操作された階との関係から復帰時に各階の表示器１３に表示する情報を予測する。表示予測部２４は、予測した情報を表示予測情報として各階の表示器１３に送信する（ステップＳ１３）。
【００３６】
表示予測情報を各階の表示器１３に送信した後、エレベータ制御装置１１は待機状態に移行する（ステップＳ１４）。待機状態では、エレベータ制御装置１１の電源（電力供給）が遮断され、乗りかご１の運転が停止する。
【００３７】
ここで、エレベータ制御装置１１が待機状態に移行した後、利用者が１階または２階の乗場に来て、乗場呼び釦１２を操作したとする（ステップＳ１５のＹｅｓ）。この乗場呼び釦１２の操作により、当該階の乗場呼びの登録情報がエレベータ制御装置１１と当該階の表示器１３に送られる。
【００３８】
これにより、エレベータ制御装置１１では、待機状態から通常の運転状態への復帰処理を行う（ステップＳ１６）。この復帰処理には、通常、数十秒程度かかる。その間、当該階に設置された表示器１３では、エレベータ制御装置１１から事前に与えられている表示予測情報を用いて乗りかご１の運転状態に関する情報を表示する（ステップＳ１７）。
【００３９】
すなわち、例えば乗りかご１が２階で待機している場合に、利用者が２階の乗場呼び釦１２を操作したとすると、２階の表示器１３では、図５（ａ）に示したパターンａを表示する。また、例えば乗りかご１が１階で待機している場合に、利用者が２階の乗場呼び釦１２を操作したとすると、２階の表示器１３では、図５（ｄ）に示したパターンｃを表示することになる。
【００４０】
このように、エレベータ制御装置１１が待機状態から復帰するまでの間、各階の表示器１３では、事前に与えられた表示予測情報を用いて自立的に表示を行うことができる。これにより、復帰するまでに多少時間がかかっても、利用者に故障と思わせて乗場から離れることを防ぐことができる。したがって、利用者のいない階への無駄な運転を回避して電力消費を抑えることができる。
【００４１】
なお、上記実施形態では、２階床ストップのエレベータシステムを例にして説明したが、さらに多くの階床を有するエレベータであっても同様である。以下に、３階床ストップとＮ階床ストップ（Ｎ＞３）の例を示す。
【００４２】
（３階床ストップの場合）
図７は３階床ストップのエレベータシステムの構成を示す図である。図８は３階床ストップの表示予測情報を説明するための図である。図９は３階床ストップの表示予測情報に含まれる表示パターンの一例を示す図である。
【００４３】
なお、エレベータ制御装置１１の機能構成は図２と同様であり、表示器１３の機能構成は図３と同様である、また、処理動作についても、図６と同様であるため、その詳しい説明は省略するものとする。
【００４４】
エレベータ制御装置１１が通常の運転状態にあるとき、エレベータ制御装置１１に設けられた運転制御部２２によって、乗りかご１は１階，２階，３階を運転する。ここで、各階の乗場呼び釦１２が一定時間以上操作されなかった場合に、エレベータ制御装置１１が待機状態に移行する。その際に、各階の表示器１３に対し、図８に示すような表示予測情報が与えられる。
【００４５】
・乗りかご１の待機階が３階の場合
３階の乗場呼び釦１２（下方向釦：ＤＮ釦）が操作されたときに、３階の表示器１３がパターンａを表示する。図９（ａ）に示すように、パターンａには、乗りかご１の現在位置（３階）と、乗場呼びの登録を受け付けたことを示す情報が含まれている。
【００４６】
２階の乗場呼び釦１２（上方向釦：ＵＰ釦または下方向釦：ＤＮ釦）が操作されたときに、２階の表示器１３がパターンｂを表示する。図９（ｂ）に示すように、パターンｂには、乗りかご１の現在位置（３階）と、下方向への運転を示す情報（下方向マーク）が含まれている。
【００４７】
１階の乗場呼び釦１２（上方向釦：ＵＰ釦）が操作されたときに、１階の表示器１３がパターンｂを表示する。図９（ｂ）に示すように、パターンｂには、乗りかご１の現在位置（３階）と、下方向への運転を示す情報（下方向マーク）が含まれている。
【００４８】
・乗りかご１の待機階が２階の場合
３階の乗場呼び釦１２（下方向釦：ＤＮ釦）が操作されたときに、３階の表示器１３がパターンｃを表示する。図９（ｃ）に示すように、パターンｃには、乗りかご１の現在位置（２階）と、上方向への運転を示す情報（上方向マーク）が含まれている。
【００４９】
２階の乗場呼び釦１２（上方向釦：ＵＰ釦または下方向釦：ＤＮ釦）が操作されたときに、２階の表示器１３がパターンｄを表示する。図９（ｄ）に示すように、パターンｄには、乗りかご１の現在位置（２階）と、乗場呼びの登録を受け付けたことを示す情報が含まれている。
【００５０】
１階の乗場呼び釦１２（上方向釦：ＵＰ釦）が操作されたときに、１階の表示器１３がパターンｅを表示する。図９（ｅ）に示すように、パターンｅには、乗りかご１の現在位置（２階）と、下方向への運転を示す情報（下方向マーク）が含まれている。
【００５１】
・乗りかご１の待機階が１階の場合
３階の乗場呼び釦１２（下方向釦：ＤＮ釦）が操作されたときに、３階の表示器１３がパターンｆを表示する。図９（ｆ）に示すように、パターンｃには、乗りかご１の現在位置（１階）と、上方向への運転を示す情報（上方向マーク）が含まれている。
【００５２】
２階の乗場呼び釦１２（上方向釦：ＵＰ釦または下方向釦：ＤＮ釦）が操作されたときに、２階の表示器１３がパターンｆを表示する。
【００５３】
１階の乗場呼び釦１２（上方向釦：ＵＰ釦）が操作されたときに、１階の表示器１３がパターンｇを表示する。図９（ｇ）に示すように、パターンｇには、乗りかご１の現在位置（１階）と、乗場呼びの登録を受け付けたことを示す情報が含まれている。
【００５４】
（Ｎ階床ストップの場合）
図１０はＮ階床ストップのエレベータシステムの構成を示す図である。図１１はＮ階床ストップの表示予測情報を説明するための図である。図１２はＮ階床ストップの表示予測情報に含まれる表示パターンの一例を示す図である。
【００５５】
なお、エレベータ制御装置１１の機能構成は図２と同様であり、表示器１３の機能構成は図３と同様である、また、処理動作についても、図６と同様であるため、その詳しい説明は省略するものとする。
【００５６】
エレベータ制御装置１１が通常の運転状態にあるとき、エレベータ制御装置１１に設けられた運転制御部２２によって、乗りかご１は最下階〜最上階の各階を運転する。ここで、各階の乗場呼び釦１２が一定時間以上操作されなかった場合に、エレベータ制御装置１１が待機状態に移行する。その際に、各階の表示器１３に対し、図８に示すような表示予測情報が与えられる。
【００５７】
いま、Ｎを最上階、Ｇを最下階とする。Ｘを乗りかご１の待機階、Ｍを最上階と最下階以外の任意の階とする。
【００５８】
・乗りかご１の待機階がＮ階の場合（Ｘ＝Ｎ）
Ｎ階の乗場呼び釦１２（下方向釦：ＤＮ釦）が操作されたときに、Ｎ階の表示器１３がパターンａを表示する。図１２（ａ）に示すように、パターンａには、乗りかご１の現在位置（Ｘ階）と、乗場呼びの登録を受け付けたことを示す情報が含まれている。
【００５９】
Ｍ階の乗場呼び釦１２（上方向釦：ＵＰ釦または下方向釦：ＤＮ釦）が操作されたときに、Ｍ階の表示器１３がパターンｂを表示する。図１２（ｂ）に示すように、パターンｂには、乗りかご１の現在位置（Ｘ階）と、下方向への運転を示す情報（下方向マーク）が含まれている。
【００６０】
Ｇ階の乗場呼び釦１２（上方向釦：ＵＰ釦）が操作されたときに、Ｇ階の表示器１３がパターンｂを表示する。図１２（ｂ）に示すように、パターンｂには、乗りかご１の現在位置（Ｘ階）と、下方向への運転を示す情報（下方向マーク）が含まれている。
【００６１】
・乗りかご１の待機階がＭ階の場合（Ｘ＝Ｍ）
Ｍ階より上階の乗場呼び釦１２（上方向釦：ＵＰ釦または下方向釦：ＤＮ釦）が操作されたときに、Ｍ階より上階の表示器１３がパターンｃを表示する。図１２（ｃ）に示すように、パターンｃには、乗りかご１の現在位置（Ｘ階）と、上方向への運転を示す情報（上方向マーク）が含まれている。
【００６２】
Ｍ階の乗場呼び釦１２（上方向釦：ＵＰ釦または下方向釦：ＤＮ釦）が操作されたときに、Ｍ階の表示器１３がパターンａを表示する」といった表示予測情報が保存される。図１２（ａ）に示すように、パターンａには、乗りかご１の現在位置（Ｘ階）と、乗場呼びの登録を受け付けたことを示す情報が含まれている。
【００６３】
Ｍ階より下階の乗場呼び釦１２（上方向釦：ＵＰ釦または下方向釦：ＤＮ釦）が操作されたときに、Ｍ階より下階の表示器１３がパターンｂを表示する。図１２（ｂ）に示すように、パターンｂには、乗りかご１の現在位置（Ｘ階）と、下方向への運転を示す情報（下方向マーク）が含まれている。
【００６４】
・乗りかご１の待機階がＧ階の場合（Ｘ＝Ｇ）
Ｎ階の乗場呼び釦１２（下方向釦：ＤＮ釦）が操作されたときに、Ｎ階の表示器１３がパターンｃを表示する。図１２（ｃ）に示すように、パターンｃには、乗りかご１の現在位置（Ｘ階）と、上方向への運転を示す情報（上方向マーク）が含まれている。
【００６５】
Ｍ階の乗場呼び釦１２（上方向釦：ＵＰ釦または下方向釦：ＤＮ釦）が操作されたときに、Ｍ階の表示器１３がパターンｃを表示する。図１２（ｃ）に示すように、パターンｃには、乗りかご１の現在位置（Ｘ階）と、上方向への運転を示す情報（上方向マーク）が含まれている。
【００６６】
Ｇ階の乗場呼び釦１２（上方向釦：ＵＰ釦）が操作されたときに、Ｇ階の表示器１３がパターンａを表示する。図１２（ａ）に示すように、パターンａには、乗りかご１の現在位置（Ｘ階）と、乗場呼びの登録を受け付けたことを示す情報が含まれている。
【００６７】
このように、複数の階床を有するエレベータシステムにおいて、エレベータ制御装置１１が復帰するとき、乗場で待つ利用者に対して、乗りかご１が運転状態にあることを知らせて待たせておくことができる。これにより、利用者のいない階への無駄な運転を回避して電力消費を抑えることができる。
【００６８】
（第２の実施形態）
次に、第２の実施形態について説明する。
【００６９】
第２の実施形態では、復帰時に各階の表示器１３に時間帯別に設定されたメッセージ情報を付加して表示させることを特徴とする。
【００７０】
図１３は第２の実施形態におけるエレベータシステムのエレベータ制御装置１１の機能構成を示すブロック図である。なお、上記第１の実施形態における図２の構成と同じ部分には同一符号を付して、その説明は省略するものとする。
【００７１】
第２の実施形態において、エレベータ制御装置１１には情報記憶部２５が備えられている。情報記憶部２５には、予め時間帯別に設定されたメッセージ情報が記憶されている。このメッセージ情報には、例えば説明会や会議など、各階で指定の時間帯で行われる何らかのイベントに関する情報や、「おはようございます」，「お疲れ様でした」などの時間帯に応じた挨拶に関する情報を含む。さらには、時間帯に応じた広告情報を含ませてもよい。
【００７２】
表示予測部２４は、エレベータ制御装置１１が待機状態に移行する際に、情報記憶部２５に記憶されたメッセージ情報を表示予測情報に付加して各階の表示器１３に送信する。これにより、各階の表示器１３では、乗場呼び釦１２が操作されたときに、表示予測情報に基づいて乗りかご１の運転状態に関する情報を表示すると共に、そのときの時間帯に応じてメッセージ情報を選択的に表示する。
【００７３】
図１４にフローチャートを示す。
【００７４】
基本的な処理な流れは上記第１の実施形態における図６と同様である。異なる点は、ステップＳ２３において、表示予測部２４が表示予測情報を各階の表示器１３に送信するときに、情報記憶部２５からメッセージ情報を読み出して当該表示予測情報に付加して送信することである。このメッセージ情報は、表示予測情報と共に図３に示した記憶部３１に記憶される。
【００７５】
ステップＳ２７において、乗場呼び釦１２が操作された際に、図５に示したように、当該階に設置された表示器１３の表示制御部３２は、情報記憶部２５に記憶された表示予測情報に基づいて乗りかご１の運転状態を表示する。また、表示器１３の表示制御部３２は、そのときの時間帯に応じてメッセージ情報を選択的に表示する。
【００７６】
図１５乃至図１７にメッセージ情報の表示例を示す。  
図１５は、各階で指定の時間帯で行われるイベントに関する情報をメッセージ情報として表示した例である。図１６は、時間帯に応じた挨拶に関する情報をメッセージ情報として表示した例である。図１７は、時間帯に応じた広告情報をメッセージ情報として表示した例である。これらの情報を個別に表示しても良いし、表示時間帯が同じであれば、複数同時に表示することでも良い。
【００７７】
このように、エレベータ制御装置１１が待機状態に移行する際に、各階の表示器１３に表示予測情報に時間帯別に設定されたメッセージ情報を付加して与えておく。これにより、エレベータ制御装置１１が待機状態から復帰する間に、乗場で待つ利用者に対し、乗りかご１が運転中であることに加え、そのときの時間帯に応じたメッセージ情報を伝えることができる。
【００７８】
なお、上記各実施形態では、各階の乗場呼び釦１２の操作状態に応じてエレベータ制御装置１１が待機状態に移行する場合を想定して説明したが、例えば電力不足や工事等により計画的に実施される停電でエレベータ制御装置１１の電源（電力供給）が遮断された場合も同様である。この場合、停電が復旧してエレベータ制御装置１１が再起動される間に、利用者が乗場呼び釦１２を操作したときに、上述した方法により表示を行う。これにより、利用者に運転中であると思わせて、その場に待たせておくことができる。
【００７９】
以上述べた少なくとも１つの実施形態によれば、エレベータの制御装置が待機状態から復帰するときに、乗場で待つ利用者に運転状態にあることを確実に知らせて、利用者のいない階への無駄な運転を回避して電力消費を抑えるようにしたエレベータシステムを提供することができる。
【００８０】
なお、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８１】
１…乗りかご、２…カウンタウェイト、３…ロープ、４…巻上機、１１…エレベータ制御装置、１２…乗場呼び釦、１３…表示器、１４…乗場ドア、２１…運転切替部、２２…運転制御部、２３…かご位置検出部、２４…表示予測部、２５…情報記憶部、３１…記憶部、３２…表示制御部。
【図１】
0005619116.tif 000002
【図２】
0005619116.tif 000003
【図３】
0005619116.tif 000004
【図４】
0005619116.tif 000005
【図５】
0005619116.tif 000006
【図６】
0005619116.tif 000007
【図７】
0005619116.tif 000008
【図８】
0005619116.tif 000009
【図９】
0005619116.tif 000010
【図１０】
0005619116.tif 000011
【図１１】
0005619116.tif 000012
【図１２】
0005619116.tif 000013
【図１３】
0005619116.tif 000014
【図１４】
0005619116.tif 000015
【図１５】
0005619116.tif 000016
【図１６】
0005619116.tif 000017
【図１７】
0005619116.tif 000018